(57)【要約】【課題】剛性の異なる様々な設置床での振動性能を向上させる。【解決手段】本発明の洗濯機は、洗濯機外枠３０振動を低減する制振手段４１を備え、制振手段４１は、錘４３の両端を減衰４４と弾性体４５で支持したしたものである。これによって、洗濯物の偏心荷重により外槽３３が激しく振動し、その振動が洗濯機外枠３０に伝わって洗濯機外枠３０が振動しようとしても制振手段４１により振動が低減される。また、制振手段４１の減衰により制振できる周波数領域を拡大されるため、設置場所によって洗濯機外枠３０の共振周波数が変化しても、洗濯機外枠３０の振動を低減させることができる。【選択図】図１
2010194023.tif 000002
【特許請求の範囲】
【請求項１】
洗濯機外枠に弾性支持された外槽と、前記外槽内に回転可能に設けられた洗濯兼脱水槽と、前記洗濯兼脱水槽を回転させる駆動手段と、前記洗濯機外枠の上部に設け、前記洗濯機外枠の振動を低減する制振手段を備え、前記制振手段は、錘の両端を減衰と弾性体とで支持することを特徴とする洗濯機。
【請求項２】
制振手段は、複数の錘と、複数の減衰と弾性体で構成することを特徴とする請求項１記載の洗濯機。
【請求項３】
制振手段は、複数の重量の異なる錘と複数の弾性体で構成され、前記錘の重量と弾性体の弾性係数で決まる共振周波数をそれぞれ異なることを特徴とする請求項２の洗濯機。
【請求項４】
制振手段は、複数の錘と複数の弾性係数の異なる弾性体で構成され、前記錘の重量と弾性体の弾性係数で決まる共振周波数はそれぞれ異なることを特徴とする請求項２の洗濯機。
【請求項５】
制振手段は、前後方向および左右方向に錘の両端を減衰と弾性体で支持することを特徴とする請求項１から４のいずれか１項に記載の洗濯機。
【発明の詳細な説明】
【技術分野】
【０００１】
本発明は、洗濯機本体内に弾性的に支持した外槽内に回転自在に配設した洗濯兼脱水槽内で洗濯物の洗濯、すすぎ、脱水（更に乾燥まで行う場合もある）を行う洗濯機に関するものである。
【背景技術】
【０００２】
従来、この種の洗濯機は、衣類の偏心荷重による脱水起動時の外槽の大きな振動を抑え、本体の振動を低減していた（例えば、特許文献１参照）。
【０００３】
図９は、特許文献１に記載された従来の洗濯機の全体構成を示すものである。図９に示すように、洗濯機外枠３０に弾性支持された外槽３３と、前記外槽３３内に回転可能に設けられた洗濯兼脱水槽３４と、前記洗濯兼脱水槽３４を回転させる駆動手段３５を有し、前記洗濯機外枠の上部３０ａに制振手段４１を設けたことにより、洗濯物の偏芯荷重により外槽が激しく振動し、その振動が洗濯機外枠３０に伝わって洗濯機外枠３０が振動しようとしても制振手段４１により振動が低減され、洗濯機外枠３０は静止に近い状態を維持することができるというものである。
【特許文献１】特開平５−１３１０７５号公報
【特許文献２】特開２００６−２０４５６４号公報
【発明の開示】
【発明が解決しようとする課題】
【０００４】
しかしながら、前記従来の構成では、図９の制振手段の弾性体４５のバネ定数と錘４３の重量により、図２のように制振する振動周波数がある程度限定されるため、この共振周波数の前後で振動が大きくなる。洗濯機外枠の共振周波数は、設置床の剛性により変化するため、設置する場所によっては振動が低減されないという問題を有していた。
【０００５】
本発明は、前記従来の課題を解決するもので、洗濯機外枠の振動を低減する周波数を拡大し、剛性の異なる様々な設置床での振動性能を向上させた洗濯機を提供することを目的とする。
【課題を解決するための手段】
【０００６】
前記従来の課題を解決するために、本発明の洗濯機は、洗濯機外枠の振動を低減する制振手段を備え、制振手段は錘の両端を減衰と弾性体で支持するものである。
【０００７】
これによって、洗濯物の偏心荷重により外槽が激しく振動し、その振動が洗濯機外枠に伝わって洗濯機外枠が振動しようとしても制振手段により振動が低減され、剛性の異なる様々な設置床での振動性能を向上させることができる。
【発明の効果】
【０００８】
本発明の洗濯機は、小型の制御手段で、木床のような剛性の異なる様々な設置床でも、洗濯物の偏心による洗濯機外枠の振動を大幅に低減される。また、制振手段を小型にすることで、安価でコンパクトに振動性能を向上することができる。
【発明を実施するための最良の形態】
【０００９】
第１の発明は、洗濯機外枠に弾性支持された外槽と、外槽内に回転可能に設けられた洗濯兼脱水槽と、洗濯兼脱水槽を回転させる駆動手段と、洗濯機外枠の上部に設け、洗濯機外枠の振動を低減する制振手段を備え、制振手段は、錘の両端を減衰と弾性体で支持する
ことにより、洗濯物の偏心荷重により外槽が激しく振動し、その振動が洗濯機外枠に伝わって洗濯機外枠が振動しようとしても制振手段により振動が低減される。また、制振手段の減衰により制振できる周波数領域を拡大されるため、設置場所によって洗濯機外枠の共振周波数が変化しても、洗濯機外枠の振動を低減させることができる。
【００１０】
第２の発明は、特に、第１の発明の制御手段は、複数の錘と複数の減衰と弾性体で構成することにより、制振手段の効果を更に大きくしたり、制振手段を小型にすることができる。
【００１１】
第３の発明は、特に、第２の発明の制振手段は、重量の異なる錘で構成し、錘の重量と弾性体の弾性係数で決まる共振周波数をそれぞれ異なる周波数に設定することにより、脱水起動時の外槽の共振に伴う洗濯機外枠の振動と、脱水定常付近の設置場所による洗濯機外枠の共振を同時に低減させることができ、脱水起動から定常にかけてすべての脱水時の外枠振動を低減することができる。
【００１２】
第４の発明は、特に、第２の発明の制振手段は、弾性係数の異なる弾性体で構成し、錘の重量と弾性体の弾性係数で決まる共振周波数をそれぞれ異なる周波数に設定することにより、脱水起動時の外槽の共振に伴う洗濯機外枠の振動と、脱水定常付近の設置場所による洗濯機外枠の共振を同時に低減させることができ、脱水起動から定常にかけてすべての脱水時の外枠振動を低減することができる。
【００１３】
第５の発明は、特に、第２の発明の制振手段は、前後方向および左右方向に錘の両端を減衰と弾性体で支持することにより、洗濯機外枠の振動を前後方向、左右方向とも低減させることができる。また、洗濯機外枠の共振周波数が前後と左右方向で異なる場合でも、洗濯機外枠の振動を低減させることができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における洗濯機の断面図を示すものである。
【００１６】
図１において、洗濯機外枠３０は、４本の引張りばね３１と、２本のダンパ３２により外槽３３を弾性支持している。洗濯兼脱水槽３４は、外槽３３内に回転自在に配設している。モータ（駆動手段）３５は、ブラシレス直流モータから成っており、インバータ制御され、回転速度が自在に変化されるようになっている。そして直接洗濯兼脱水槽３４を駆動する。給水手段３６は洗濯兼脱水槽３４内に給水するものである。水位検知手段３７は、外糟３３内の洗濯水位を検知する。排水手段３８は、外槽３３内の洗濯水を排水するものである。制御装置３９は、洗濯機外枠３０の前面下部に設けられている。制御装置３９は、洗濯機外枠３０の前面上部に設けられた操作表示手段４０により入力された設定内容に基づいて洗い、すすぎ、脱水の各工程を逐次制御するもので、パワースイッチング手段（図示せず）を介してモータ３５、給水手段３６、排水手段３８などを逐次制御する。
【００１７】
制振手段４１は、洗濯機外枠の上部３０ａの裏側に固定されている。制振手段４１は、外枠４２、錘４３、減衰４４および弾性体４５から構成されている。錘４３の両端は、外枠４２の側面部４２ａ、４２ｂと、減衰４４、弾性体４５により支持されている。錘４３は重量１ｋｇの鉄製の錘、弾性体４５にはバネ定数が３．３［Ｎ／ｍｍ］のバネを２本、減衰４４には粘性減衰係数が０．０１［Ｎ・ｓ／ｍｍ］のダンパーを２本使用している。外枠４２には制振手段４１を洗濯機外枠の上部３０ａに取り付けるための固定穴４２ｃが一対設けられており、制振手段４１は、固定穴４２ｃを利用して洗濯機外枠の上部３０ａ
にねじ止めされる。外枠４２の底面４２ｄは錘４３との擦れ音を防止するため、錘４３と擦れないような隙間、を設けている。
【００１８】
以上のように構成された洗濯機について、以下その動作、作用を説明する。
【００１９】
まず、洗濯兼脱水槽３４内に衣類と洗剤を投入後、操作表示手段４０を操作して運転を開始する。これによって、給水手段３６が動作し、洗濯兼脱水槽３４内に洗濯水が供給されると共に洗濯兼脱水槽３４も回転を開始する。規定量の洗濯水が供給されると給水手段３６は給水を停止する。洗濯兼脱水槽３４の回転によって、洗剤は洗濯水に溶かされ、洗濯液となって衣類に浸透する。洗濯兼脱水槽３４は、３０ｒ／ｍｉｎ程度の低速で回転して、衣類を持ち上げては落とすというたたき洗いを規定時間行う。洗濯終了後、排水手段３８が作動し、汚れを溶かし込んだ洗濯液は、外槽３３の外に排水される。排水終了後、洗濯兼脱水槽３４の回転は徐々に速くなる。洗濯兼脱水槽３４の回転による振動周波数が、外槽３３の共振周波数（２４０〜３００ｒｐｍ）に近づくと外槽３３は、大きく振動する。この振動エネルギーが引張りばね３１、ダンパ３２等の弾性支持部を伝り、図２のように洗濯機外枠３０も大きく振動する。更に洗濯兼脱水槽３４の回転が上昇して洗濯機外枠３０の共振周波数（６００〜９００ｒｐｍ）に近づくと、洗濯機外枠３０が大きく振動する。この洗濯機外枠３０の振動エネルギーは、錘４３を振動させるために消費され、結果として洗濯機外枠３０の振動は低減されることになる。図２のように７００〜１０００ｒｐｍの広範囲で洗濯機外枠３０の振動が低減される。
【００２０】
以上のように本実施の形態において、洗濯機を木床からコンクリート床など剛性の異なる様々に設置し、洗濯機外枠３０の共振周波数が変化しても、洗濯機外枠３０の振動を低減することができる。
【００２１】
（実施の形態２）
図３は、本発明の第２の実施の形態における制振手段４１の断面図を示すものである。
【００２２】
図３において、制振手段４１は、外枠４２内に、複数の錘４３、減衰４４および弾性体４５から構成されている。２個の錘４３は同一重量５００ｇで、それぞれの錘の両端は、粘性減衰係数が０．０１［Ｎ・ｓ／ｍｍ］の減衰４４と、バネ定数が１．６５［Ｎ／ｍｍ］の弾性体４５で外枠４２内で左右方向に並列に支持されている。この構成においても、図４のように７００〜１２００ｒｐｍの広範囲で洗濯機外枠３０の振動が低減される。
【００２３】
これにより、複数の小型軽量の錘を組み合わせても、洗濯機を木床からコンクリート床など剛性の異なる様々に設置し、洗濯機外枠３０の共振周波数が変化しても、洗濯機外枠３０の振動を低減することができ、設置スペースの少ないところにも制振手段４１を取り付けることができる。
【００２４】
（実施の形態３）
図５は、本発明の第３の実施の形態における制振手段４１の断面図を示すものである。
【００２５】
図５において、制振手段４１は、外枠４２内に、重量の異なる錘４３ａと錘４３ｂ、減衰４４ａと減衰４４ｂおよび弾性体４５ａと弾性体４５ｂから構成されている。錘４３ａの重量と弾性体４５ａの弾性係数からなる共振周波数を、外槽３３が大きく振動することにより洗濯機外枠３０が大きく振動する周波数（２４０〜３００ｒｐｍ）に設定する。
【００２６】
もう一方の錘４３ｂと弾性体４５ｂの弾性係数からなる共振周波数を、洗濯機外枠３０の共振周波数（６００〜９００ｒｐｍ）に設定する。これにより、図６のように、洗濯機外枠３０が大きく振動する周波数（２４０〜３００ｒｐｍと６００〜９００ｒｐｍ）にお
いて、洗濯機外枠３０の振動を低減できる。
【００２７】
これにより、木床からコンクリート床など剛性の異なる様々に設置しても、脱水起動から定常にかけて洗濯機外枠３０の振動を低減できる。
【００２８】
（実施の形態４）
図７は、本発明の第４の実施の形態における制振手段４１の断面図を示すものである。
【００２９】
図７において、制振手段４１は、外枠４２内に、同一重量の錘４３ａと錘４３ｂ、粘性減衰係数の異なる減衰４４ａと減衰４４ｂ、および弾性係数の異なる弾性体４５ａと弾性体４５ｂから構成されている。錘４３ａの重量と弾性体４５ａの弾性係数からなる共振周波数を、外槽３３が大きく振動することにより洗濯機外枠３０が大きく振動する周波数（２４０〜３００ｒｐｍ）に設定する。
【００３０】
もう一方の錘４３ｂと弾性体４５ｂの弾性係数からなる共振周波数を、洗濯機外枠３０の共振周波数（６００〜８００ｒｐｍ）に設定する。これにより、図６のように、洗濯機外枠３０が大きく振動する周波数（２４０〜３００ｒｐｍと６００〜９００ｒｐｍ）において、洗濯機外枠３０の振動を低減できる。
【００３１】
これにより、木床からコンクリート床など剛性の異なる様々に設置しても、脱水起動から定常にかけて洗濯機外枠３０の振動を低減できる。
【００３２】
（実施の形態５）
図８は、本発明の第５の実施の形態における制振手段４１の断面図を示すものである。
【００３３】
図８において、制振手段４１は、外枠４２内の左右方向に錘４３ａと減衰４４ａおよび弾性体４５ａからなる構成を、前後方向に錘４３ｂと減衰４４ｂおよび弾性体４５ｂからなる構成で、それぞれ異なる方向で支持する。
【００３４】
これにより、木床からコンクリート床など剛性の異なる様々に設置しても、洗濯機外枠３０の振動を前後方向、左右方向とも低減することができる。
【産業上の利用可能性】
【００３５】
以上のように、本発明に関わる洗濯機は、木床からコンクリート床など剛性の異なる様々に設置しても、洗濯機外枠３０の振動を低減できる。
【図面の簡単な説明】
【００３６】
【図１】本発明の実施の形態１における洗濯機の断面図
【図２】本発明の実施の形態１における洗濯機の洗濯機外枠の振動振幅特性図
【図３】本発明の実施の形態２における制振手段の断面図
【図４】本発明の実施の形態２における洗濯機の洗濯機外枠の振動振幅特性図
【図５】本発明の実施の形態３における制振手段の断面図
【図６】本発明の実施の形態３における洗濯機の洗濯機外枠の振動振幅特性図
【図７】本発明の実施の形態４における制振手段の断面図
【図８】本発明の実施の形態５における制振手段の断面図
【図９】従来の洗濯機の断面図
【符号の説明】
【００３７】
３０  洗濯機外枠
３０ａ  洗濯機外枠の上部
３３  外槽
３４  洗濯兼脱水槽
３５  駆動手段
４１  制振手段
４３  錘
４４  減衰
４５  弾性体
【図１】
2010194023.tif 000003
【図２】
2010194023.tif 000004
【図３】
2010194023.tif 000005
【図４】
2010194023.tif 000006
【図５】
2010194023.tif 000007
【図６】
2010194023.tif 000008
【図７】
2010194023.tif 000009
【図８】
2010194023.tif 000010
【図９】
2010194023.tif 000011